(57)【要約】【課題】  完全の断水効果を有する断水スイッチを提供する。【解決手段】  パイプ状の中空の延伸部と、両側に排水孔を有する収容部と、連動部材と、断水部材と、押圧部材と、押圧部材と一体に設けられるスイッチ部とを備える断水スイッチであって、前記延伸部の上部に押圧部材とスイッチ部を収容するため収容部が設けられ、該収容部と延伸部との連接箇所に外リングと内リングが形成され、前記連動部材は上下移動自在に延伸部に設けられる中空パイプであり、中段の外側にリング状溝が形成され、前記断水部材は収容部に設けられると共に、リング状溝と噛合する内縁部と外縁部とを有する断水リングと、外縁部を収容部における内リングと外リングとの間に固定する密接リングとを有し、前記押圧部材の上部に一体のスイッチ部が設けられると共に、下部に連動部材と連接する押圧部が設けられ、前記押圧部が断水リングの内縁部をリング状溝に押圧することにより、断水リングを収容部の内部に安定的に収容することを特徴とする。【選択図】        図１
2006040681.tif 000002
【特許請求の範囲】
【請求項１】
パイプ状の中空の延伸部と、両側に排水孔を有する収容部と、連動部材と、断水部材と、押圧部材と、押圧部材と一体に設けられるスイッチ部とを備える断水スイッチであって、
前記延伸部の上部に押圧部材とスイッチ部を収容するため収容部が設けられ、該収容部と延伸部との連接箇所に外リングと内リングが形成され、
前記連動部材は上下移動自在に延伸部に設けられる中空パイプであり、中段の外側にリング状溝が形成され、
前記断水部材は収容部に設けられると共に、リング状溝と噛合する内縁部と外縁部とを有する断水リングと、外縁部を収容部における内リングと外リングとの間に固定する密接リングとを有し、
前記押圧部材の上部に一体のスイッチ部が設けられると共に、下部に連動部材と連接する押圧部が設けられ、
前記押圧部が断水リングの内縁部をリング状溝に押圧することにより、断水リングを収容部の内部に安定的に収容することを特徴とする断水スイッチ。
【請求項２】
前記密接リングの外周縁が多辺形であることを特徴とする請求項１に記載の断水スイッチ。
【請求項３】
前記密接リングの外径が内リングの内径より大きいことを特徴とする請求項２に記載の断水スイッチ。
【発明の詳細な説明】
【技術分野】
【０００１】
本発明は、特に完全の断水効果を有する断水スイッチに関するものである。
【背景技術】
【０００２】
図４に示すように、従来の断水スイッチはパイプ状の中空の延伸部（６０）を有し、該延伸部（６０）の上部に押圧部材（２０）を収容するため収容部（４０）が設けられ、延伸部（６０）の内部に上下移動自在の連動部材（４４）が設けられ、押圧部材（２０）は前記連動部材（４４）と組み合せる押圧部（２４）を有し、押圧部（２４）にリング状溝（２４１）が形成され、延伸部（６０）にリング状溝（２４１）と噛合する断水リング（４６）が設けられ、該断水リング（４６）の外縁部（４６２）が位置決め部材（４２）に介して収容部に固定されると共に、内縁部（４６４）がリング状溝（２４１）と噛合され、該断水リング（４６）により、水分や塵埃などの異物を収容部（４０）の上端と延伸部（２４）との隙間に介して内部に進入することを防止する。尚、前記断水スイッチは一般によく使用されるものであることから、特に特許文献又は非特許文献には記載されていない。
【発明の開示】
【発明が解決しようとする課題】
【０００３】
しかしながら、前記従来の断水スイッチにおける位置決め部材（４２）によって断水リング（４６）の外縁部（４６２）を収容部（４０）に設置することが非常に面倒であり、又、断水スイッチを使用する場合、断水リング（４６）の内縁部（４６４）が延伸部（２４）と一緒に連動するので、断水リング（４６）が変形すると共に、断水効果を失ってしまうという問題を有する。
【０００４】
そこで、出願されたのが本発明であって、完全の断水効果を有する断水スイッチを提供することを目的としている。
【課題を解決するための手段】
【０００５】
本願の請求項１の発明は、パイプ状の中空の延伸部と、両側に排水孔を有する収容部と、連動部材と、断水部材と、押圧部材と、押圧部材と一体に設けられるスイッチ部とを備える断水スイッチであって、
前記延伸部の上部に押圧部材とスイッチ部を収容するため収容部が設けられ、該収容部と延伸部との連接箇所に外リングと内リングが形成され、
前記連動部材は上下移動自在に延伸部に設けられる中空パイプであり、中段の外側にリング状溝が形成され、
前記断水部材は収容部に設けられると共に、リング状溝と噛合する内縁部と外縁部とを有する断水リングと、外縁部を収容部における内リングと外リングとの間に固定する密接リングとを有し、
前記押圧部材の上部に一体のスイッチ部が設けられると共に、下部に連動部材と連接する押圧部が設けられ、
前記押圧部が断水リングの内縁部をリング状溝に押圧することにより、断水リングを収容部の内部に安定的に収容することを特徴とする断水スイッチ及び、
本願の請求項２の発明は、前記密接リングの外周縁が多辺形であることを特徴とする請求項１に記載の断水スイッチ及び、
本願の請求項３の発明は、前記密接リングの外径が内リングの内径より大きいことを特徴とする請求項２に記載の断水スイッチ、を提供する。
【発明の効果】
【０００６】
本発明は上記の課題を解決するものであり、断水リングの内縁部が押圧部によってリング状溝に押圧されることにより、断水リングが連動部材の移動と一緒にリング状溝から脱落することを防止でき、又、外リングと内リングとの間に設けられる密接リングにより、断水リングの断水効果を向上することができるので、水分や塵埃などの異物が収容部に介して延伸部に進入することを防止できる。
【発明を実施するための最良の形態】
【０００７】
以下、添付図面を参照して本発明の好適な実施の形態を詳細に説明する。
【０００８】
図１は本発明に係る断水スイッチの分解斜視図であり、図２は本発明に係る断水スイッチの断面図であり、図３は本発明に係る断水スイッチの使用状態を示す断面図である。
【０００９】
図１に示すように、本発明に係る断水スイッチはパイプ状の中空の延伸部（５０）と、両側に排水孔（３００）を有する収容部（３０）と、連動部材（３２）と、断水部材と、押圧部材（１０）と、押圧部材（１０）と一体に設けられるスイッチ部（１２）とを備える。
【００１０】
前記延伸部（５０）の上部に押圧部材（１０）とスイッチ部（１２）を収容するため収容部（３０）が設けられ、該収容部（３０）と延伸部（５０）との連接箇所に外リング（３０２）と内リング（３０４）が形成される。
【００１１】
前記連動部材（３２）は中空パイプであり、中段の外側にリング状溝（３２２）が形成される。前記断水部材は内縁部（３６２）と外縁部（３６４）とを有する断水リング（３６）と、外縁部（３６４）を収容部（３０）における内リング（３０４）と外リング（３０２）との間に固定すると共に、外周縁が多辺形である密接リング（３４）とを有する。前記押圧部材（１０）の上部に一体のスイッチ部（１２）が設けられると共に、下部に連動部材（３２）と連接する押圧部（１４）が設けられる。又、前記密接リング（３４）の外径が内リング（３０４）の内径より大きいことにより、密接リング（３４）が内リング（３０４）と外リング（３０２）との間に強固に設けられる。
【００１２】
図２に示すように、本発明に係る断水スイッチを組み合せる際、連動部材（３２）が上下移動自在に延伸部（５０）に設けられ、断水リング（３６）が収容部（３０）に設けられると共に、内縁部（３６２）がリング状溝（３２２）に噛合され、密接リング（３４）が外縁部（３６４）を収容部（３０）における内リング（３０４）と外リング（３０２）との間に固定させると共に、押圧部材（１０）の押圧部（１４）が断水リング（３６）の内縁部（３６２）をリング状溝（３２２）に押圧することにより、押圧部材（１０）が連動部材（３２）と組合すると共に、断水リング（３６）を収容部（３０）の内部に安定的に収容させる。
【００１３】
図２及び図３に示すように、本発明に係る断水スイッチを使用する場合、使用者はスイッチ部（１２）を押圧すると、連動部材（３２）が下方へ移動され、内縁部（３６２）が押圧部（１４）によってリング状溝（３２２）に押圧されるので、連動部材（３２）の移動と一緒にリング状溝（３２２）から脱落することがなく、又、外リング（３０２）と内リング（３０４）との間に設けられる密接リング（３４）により、断水リング（３６）の断水効果を向上することができるので、水分や塵埃などの異物が収容部（３０）に介して延伸部（５０）に進入することを防止できる。又、塵埃や水分などの異物を収容部（３０）に進入する場合、収容部（３０）の両側における排水孔（３００）に介して該異物を外へ排出することができる。
【００１４】
本発明は上記の構造を有するので、断水リングの内縁部が押圧部によってリング状溝に押圧されることにより、断水リングが連動部材の移動と一緒にリング状溝から脱落することを防止でき、又、外リングと内リングとの間に設けられる密接リングにより、断水リングの断水効果を向上することができるので、水分や塵埃などの異物が収容部に介して延伸部に進入することを防止できる。
【図面の簡単な説明】
【００１５】
【図１】本発明に係る断水スイッチの分解斜視図である。
【図２】本発明に係る断水スイッチの断面図である。
【図３】本発明に係る断水スイッチの使用状態を示す断面図である。
【図４】従来の断水スイッチを示す断面図である。
【符号の説明】
【００１６】
１０        押圧部材
１２        スイッチ部
１４        押圧部
３０        収容部
３００      排水孔
３０２      外リング
３０４      内リング
３２        連動部材
３２２      リング状溝
３４        密接リング
３６        断水リング
３６２      内縁部
３６４      外縁部
５０        延伸部
５２        接続端
２０        押圧部材
２２        スイッチ部
２４        押圧部
２４１      リング状溝
４０        収容部
４２        位置決め部材
４４        連動部材
４６        断水リング
４６２      外縁部
４６４      内縁部
６０        延伸部
６２        接続端
【図１】
2006040681.tif 000003
【図２】
2006040681.tif 000004
【図３】
2006040681.tif 000005
【図４】
2006040681.tif 000006